(57)【特許請求の範囲】
【請求項１】
第１の無線端末を動作する方法であって、
前記第１の無線端末が第２の無線端末に送信されるべきデータを有する場合に、前記第１の無線端末で、第１のトラフィック送信スロットにおいて送信されるべきデータに対して使用されるべき第１のサービス品質レベルを決定することと、
前記第１のトラフィック送信スロットに対応する第１の送信要求ブロックにおいて要求信号を送信することと、
を備え、
前記第１の送信要求ブロックは、複数の送信ユニットセットを含み、前記第１の送信要求ブロック内の各送信ユニットセットは、異なる接続識別子に対応し、前記第１の送信要求ブロックは異なる接続識別子のセットに対応する、
方法。
【請求項２】
前記第１の要求信号は、要求パイロット信号を通信するために使用される送信ユニット、および、前記第１のサービス品質レベルを通信するために使用される１つ以上の追加の送信ユニットを使用して通信される、
請求項１に記載の方法。
【請求項３】
送信要求応答のための前記第１のトラフィック送信スロットにおいて第１のトラフィック送信セグメントに対応する第１の送信要求応答ブロックをモニタすることをさらに備え、前記第１の送信要求応答ブロックは、複数の送信ユニットセットを含み、前記第１の送信要求応答ブロック内の各送信ユニットセットは、前記異なる接続識別子のセットの前記異なる接続識別子のうちの1つに対応する、
請求項１に記載の方法。
【請求項４】
前記モニタすることによって検出された要求応答に含まれるサービス品質レベル情報に基づいて決定を行うことを備える前記第１のトラフィック送信スロットにおいて送信するか否かを決定することをさらに備える、
請求項３に記載の方法。
【請求項５】
前記第１のトラフィック送信スロットで送信するか否かを決定することは、受信要求応答の電力と電力レベル閾値との比較に基づいて決定することをさらに備える、
請求項４に記載の方法。
【請求項６】
前記電力レベル閾値は、受信信号に基づいて１つの送信時間スロットから次の送信時間スロットへと動的に決定される、
請求項５に記載の方法。
【請求項７】
前記第１のトラフィック送信スロットで送信するか否かを決定することは、前記第１の送信要求応答ブロックにおける受信要求応答の相対位置に基づいて決定することをさらに備える、
請求項４に記載の方法。
【請求項８】
サービス品質レベルインジケータを含む送信要求を第３のデバイスから受信することと、
前記サービス品質レベルインジケータを含む要求応答信号を送信することによって応答することと、
をさらに備える、請求項１に記載の方法。
【請求項９】
第１の無線端末であって、
前記第１の無線端末が第２の無線端末に送るべきデータを有する場合に、第１のトラフィック送信スロットにおいて送信されるべきデータに対して使用されるべき第１のサービス品質レベルを決定し、
前記第１のトラフィック送信スロットに対応する第１の送信要求ブロックで要求信号を送信する、
ように構成された少なくとも１つのプロセッサと：
前記少なくとも１つのプロセッサに結合されたメモリと、
を備え、
前記第１の送信要求ブロックは、複数の送信ユニットセットを含み、前記第１の送信要求ブロック内の各送信ユニットセットは、異なる接続識別子に対応し、前記第１の送信要求ブロックは異なる接続識別子のセットに対応する、
第１の無線端末。
【請求項１０】
前記要求信号は、要求パイロット信号を通信するために使用される送信ユニット、および、前記第１のサービス品質レベルを通信するために使用される１つ以上の追加送信ユニットを使用して通信される、
請求項９に記載の第１の無線端末。
【請求項１１】
前記少なくとも1つのプロセッサは、送信要求応答のための前記第１のトラフィック送信スロットにおける第１のトラフィック送信セグメントに対応する第１の送信要求応答ブロックをモニタするようにさらに構成され、前記第１の送信要求応答ブロックは複数の送信ユニットセットを含み、前記第１の送信要求応答ブロック内の各送信ユニットセットは、前記異なる接続識別子のセットの前記異なる接続識別子のうちの１つに対応し、
請求項９に記載の第１の無線端末。
【請求項１２】
前記少なくとも１つのプロセッサは、前記モニタすることで検出される要求応答に含まれるサービス品質レベル情報に基づいて、前記第１のトラフィック送信スロットにおいて送信するか否かを決定するようにさらに構成される、
請求項１１に記載の第１の無線端末。
【請求項１３】
前記少なくとも１つのプロセッサは、受信要求応答の電力と電力レベル閾値との比較に基づいて前記第１のトラフィック送信スロットで送信するか否かを決定するようにさらに構成される、
請求項１２に記載の第１の無線端末。
【請求項１４】
前記電力レベル閾値は、受信信号に基づいて１つの送信時間スロットから次の送信時間スロットへと動的に決定される、
請求項１３に記載の第１の無線端末。
【請求項１５】
前記少なくとも１つのプロセッサは、前記第１の送信要求応答ブロックにおける受信要求応答の相対位置に基づいて前記第１の送信スロットで送信するか否かを決定するようにさらに構成される、
請求項１２に記載の第１の無線端末。
【請求項１６】
前記少なくとも1つのプロセッサは、
サービス品質レベルインジケータを含む送信要求を第３のデバイスから受信し、
前記サービス品質レベルインジケータを含む要求応答信号を送信することによって応答する、
ようにさらに構成される、
請求項９に記載の第１の無線端末。
【請求項１７】
第１の無線端末であって、
前記第１の無線端末が第２の無線端末に送信されるべきデータを有する場合に、第１のトラフィック送信スロットにおいて送信されるべきデータに対して使用されるべき第１のサービス品質レベルを決定するための手段と、
前記第１のトラフィック送信スロットに対応する第１の送信要求ブロックにおいて要求信号を送信するための手段と、
を備え、
前記第１の送信要求ブロックは、複数の送信ユニットセットを含み、前記第１の送信要求ブロック内の各送信ユニットセットは、異なる接続識別子に対応し、前記第１の送信要求ブロックは異なる接続識別子のセットに対応する、
を備える第１の無線端末。
【請求項１８】
前記要求信号は、要求パイロット信号を通信するために使用される送信ユニット、および、前記第１のサービス品質レベルを通信するために使用される１つ以上の追加送信ユニットを使用して通信される、
請求項１７に記載の第１の無線端末。
【請求項１９】
送信要求応答のための前記第１のトラフィック送信スロットにおいて第１のトラフィック送信セグメントに対応する第１の送信要求応答ブロックを監視するための手段をさらに備え、前記第１の送信要求応答ブロックは、複数の送信ユニットセットを含み、前記第１の送信要求応答ブロック内の各送信ユニットセットは、前記異なる接続識別子のセットの前記異なる接続識別子のうちの１つに対応する、
請求項１７に記載の第１の無線端末。
【請求項２０】
前記モニタすることで検出された要求応答に含まれるサービス品質レベル情報に基づいて決定を行うための手段を備える前記第１のトラフィック送信スロットにおいて送信するか否かを決定するための手段をさらに備える、請求項１９に記載の第１の無線端末。
【請求項２１】
前記第１のトラフィック送信スロットで送信するか否かを決定するための手段は、受信要求応答の電力と電力レベル閾値との比較に基づいて決定するための手段をさらに備える、
請求項２０に記載の第１の無線端末。
【請求項２２】
前記電力レベル閾値は、受信信号に基づいて１つの送信時間スロットから次の送信時間スロットへと動的に決定される、
請求項２１に記載の第１の無線端末。
【請求項２３】
前記第１のトラフィック送信スロットで送信するか否かを決定するための手段は、前記第１の送信要求応答ブロックにおける受信要求応答の相対位置に基づいて決定するための手段をさらに備える、
請求項２０に記載の第１の無線端末。
【請求項２４】
サービス品質レベルインジケータを含む送信要求を第３のデバイスから受信するための手段と、
前記サービス品質レベルインジケータを含む要求応答信号を送信することによって応答するための手段と、
をさらに備える、請求項１７に記載の第１の無線端末。
【請求項２５】
第１の無線端末において使用するためのコンピュータプログラムであって、
少なくとも１つのコンピュータに、前記第１の無線端末が第２の無線端末に送信されるべきデータを有する場合に、第１のトラフィック送信スロットにおいて送信されるべきデータに対して使用されるべき第１のサービス品質レベルを決定させるためのコードと、
前記少なくとも１つのコンピュータに、前記第１のトラフィック送信スロットに対応する第１の送信要求ブロックにおける要求信号の送信を制御させるためのコードと、
を備え、
前記第１の送信要求ブロックは、複数の送信ユニットセットを含み、前記第１の送信要求ブロック内の各送信ユニットセットは異なる接続識別子に対応し、前記第１の送信要求ブロックは、異なる接続識別子のセットに対応する、
コンピュータプログラム。
【請求項２６】
前記要求信号は、要求パイロット信号を通信するために使用される送信ユニット、および、前記第１のサービス品質レベルを通信するために使用される１つ以上の追加送信ユニットを使用して通信される、
請求項２５に記載のコンピュータプログラム。
【請求項２７】
前記少なくとも１つのコンピュータに、送信要求応答のための前記第１のトラフィック送信スロットにおいて第１のトラフィック送信セグメントに対応する第１の送信要求応答ブロックをモニタさせるためのコードをさらに備え、前記第１の送信要求応答ブロックは、複数の送信ユニットセットを含み、前記第１の送信要求応答ブロック内の各送信ユニットセットは、前記異なる接続識別子のセットの前記異なる接続識別子のうちの１つに対応する、
請求項２５に記載のコンピュータプログラム。
【請求項２８】
前記要求信号は、前記データが送信されるべき前記第２の無線端末に送信される、請求項１に記載の方法。
【発明の詳細な説明】
【技術分野】
【０００１】
様々な実施形態は無線通信に関し、さらに詳細には、ピア・ツー・ピア通信に関連した方法および装置に関する。
【背景技術】
【０００２】
集中制御のない無線通信ネットワークにおいて、トラフィック無線リンクリソースの効率的なスケジューリングは困難な課題でありうる。同じ重みまたは同じ量の無線リンクトラフィックリソースを各接続に割り当てるアプローチは、設計が簡単であっても、無駄になりがちである。異なる時点において、接続に対応する特定の通信デバイスは、例えば、通信されるべきデータのタイプ、待ち時間考慮、バックログ、現在のチャネル状態、輻輳、実行中のアプリケーション等により、異なるサービス品質を必要とする可能性がある。異なるタイプのデバイスは、例えば、デバイスの性能に対応して、異なる品質のサービス品質をさらに必要とする可能性がある。同一のデバイスは、現在の接続を有する別のデバイスの性能に基づいて、異なる時点での異なるサービス品質をさらに必要とする可能性がある。このように、異なる時点において、トラフィックセグメントの使用を許可されている特定のデバイスの重要性が変化すると予想されうる。
【０００３】
分散スケジューリング技術がトラフィックスケジューリングに用いられる場合、同一のリソースを使用しようと競合する別のデバイスの現在の必要性を状況に応じて認識することは、スケジューリング決定を行う個々のデバイスにとって有益となりえる。以上の点から、同一の無線リンクトラフィックリソースを使用しようと競合している、近くに位置する通信デバイス間でサービス品質情報の交換をサポートする新しい方法および装置が必要である。制御シグナリングに対して無線リンクリソースを利用すると、それらの無線リンクリソースはトラフィックシグナリングに対して利用不可能になる傾向があるため、そのような方法および装置が、オーバヘッドを結果的に最小化することにつながるように制御シグナリングを効率的に構成した場合、それは有益となるであろう。
【発明の概要】
【０００４】
無線通信システムにおける無線リンクリソース、例えばトラフィックセグメント、のスケジューリングに関連する方法および装置が記述される。記述される様々な方法および装置は、トラフィックスケジューリングが分散される無線ピア・ツー・ピアネットワーク、例えばアドホック・ピア・ツー・ピアネットワーク、によく適している。いくつかの実施形態において、トラフィック信号の通信を望むピア・ツー・ピア接続に対応する個々の無線端末は、トラフィックスロット基準毎にトラフィックスロットについての送信機譲歩（yielding）および／または受信機譲歩決定を行う。様々な実施形態のうちの１つの特徴は、スケジューリングシグナリングの一部として、無線通信デバイス間でのサービス品質情報の通信を含む。いくつかの実施形態において、トラフィック送信要求信号は、パイロット部およびサービス品質情報部を含む。いくつかの実施形態において、トラフィック送信要求応答信号は、パイロット部およびサービス品質情報部を含む。スケジューリング制御信号にサービス品質情報と共にパイロットを含むことは、スケジューリング制御信号の送信機に関して異なるチャネル状態を有しうる複数の異なるデバイスによるサービス品質情報の復元を容易にする。異なるデバイスは、トラフィックセグメントにおけるトラフィックシグナリングに関する譲歩決定を行う際に、復元されたサービス品質情報を利用することで利益を得る可能性がある。いくつかの実施形態において、スケジューリング制御信号で通信されるサービス品質レベルは、優先度を調整し、現在のサービス品質要求を満たし、および／または、競合するトラフィックリソース要求とのバランスを保つために利用される。
【０００５】
第１の無線端末を動作する例示的な方法は、第１の無線端末が第２の無線端末に送信されるべきデータを有する場合に、第１のトラフィック送信スロットで送信されるべきデータに対して使用されるべき第１のサービス品質レベルを決定することと、第１のトラフィック送信スロットに対応する第１の送信要求ブロックで要求信号を送信することとを含み、第１の送信要求ブロックは、複数の送信ユニットセットを含み、第１の送信要求ブロックの各送信ユニットセットは異なる接続識別子に対応し、第１の送信要求ブロックは異なる接続識別子のセットに対応する。
【０００６】
一実施形態に従う例示的な第１の無線端末は、第１の無線端末が第２の無線端末に送信されるべきデータを有する場合に、第１のトラフィック送信スロットにおいて送信されるべきデータに対して使用されるべき第１のサービス品質レベルを決定し、第１のトラフィック送信スロットに対応する第１の送信要求ブロックにおいて要求信号を送信するように構成された少なくとも１つのプロセッサを含み、第１の送信要求ブロックは複数の送信ユニットセットを含み、第１の送信要求ブロックの各送信ユニットセットは異なる接続識別子に対応し、第１の送信要求ブロックは異なる接続識別子のセットに対応する。例示的な第１の無線端末は少なくとも１つのプロセッサに結合されたメモリをさらに含む。
【０００７】
様々な実施形態が上の発明の概要において議論されているが、必ずしも全ての実施形態が同一の特徴を含むわけではないこと、および上に記述された特徴のいくつかは必要ではないが、いくつかの実施形態において望まれうることは認識されるべきである。多くのさらなる特徴、実施形態、および様々な実施形態の利点が以下に続く発明の詳細な説明において議論される。
【図面の簡単な説明】
【０００８】
【図１】図１は、例示的な実施形態に従う例示的なピア・ツー・ピアネットワーク、例えばアドホック通信ネットワーク、の図である。
【図２】図２は、図２Ａおよび図２Ｂの連結を備える。
【図２Ａ】図２Ａは、無線端末を動作する例示的な方法のフローチャートである。
【図２Ｂ】図２Ｂは、無線端末を動作する例示的な方法のフローチャートである。
【図３】図３は、例示的な実施形態に従う例示的な無線端末、ピア・ツー・ピアモバイルノード、の図である。
【図４】図４は、いくつかの実施形態において使用される例示的な循環型ピア・ツー・ピアタイミング／周波数構造を示す図である。
【図５】図５は、既存のピア・ツー・ピア接続を有する２組の無線端末の図および、１つのトラフィック送信スロットの間に例示的な要求および要求応答シグナリングを示す。
【図６】図６は、図５の例に対応する例示的な譲歩決定パラメータ考慮を示すテーブルである。
【図７】図７は、ピア・ツー・ピアネットワークにおける２組の無線端末を示す図である。
【図８】図８は、例示的な一実施形態に従って、Ｔｘ部、例えばトラフィック送信要求部、およびＲｘ部、例えばトラフィック送信要求応答部、を含む例示的なプリ・プリアンブルを示す。
【図９】図９は、例示的なある実施形態に従って、第１の無線端末を動作する例示的な方法のフローチャートである。
【図１０】図１０は、例示的なある実施形態に従う例示的な第１の無線端末の図である。
【図１１】図１１は、図１０に示される第１の無線端末１０００において使用されることが可能であり、いくつかの実施形態において使用されるモジュールのアセンブリである。
【発明の詳細な説明】
【０００９】
図１は、例示的な実施形態に従う例示的なピア・ツー・ピアネットワーク１００、例えば、アドホック通信ネットワーク、の図である。例示的なネットワークは、通信デバイス、例えばモバイル無線端末、によるピア・ツー・ピアトラフィックシグナリングをサポートする。例示的なネットワーク１００は、スロット基準毎に、トラフィック無線リンクリソース、例えばセグメント、の分散スケジューリングをサポートする。いくつかの実施形態において、スケジューリングは、同一のトラフィック無線リンクリソースを使用しようと競合する異なる接続に対応するサービス品質レベル情報に基づく。例示的なピア・ツー・ピアネットワーク１００は、ピア・ツー・ピアトラフィックシグナリングをサポートする複数の無線デバイス（ピア・ツー・ピア通信デバイス１ １０２、ピア・ツー・ピア通信デバイス２ １０４、ピア・ツー・ピア通信デバイス３ １０６、ピア・ツー・ピア通信デバイス４ １０８・・・ピア・ツー・ピア通信デバイスＮ １１０）を含む。いくつかの実施形態において、ネットワーク１００は、基準信号送信機１１６、例えばビーコン送信機、を含む。通信ネットワーク１００内の無線デバイス（１０２、１０４、１０６、１０８、・・・１１０）は、接続、例えばピア・ツー・ピア接続、を互いに確立し、トラフィック送信要求信号、例えばパイロット部とサービス品質部とを含むマルチパート要求信号、を生成および送信し、トラフィック送信要求信号を受信および処理し、受信機譲歩決定を行い、トラフィック送信要求応答信号、例えばパイロット部とサービス品質部とを含むマルチパート要求応答信号、を生成および送信し、トラフィック送信要求応答信号を受信および処理し、送信機譲歩決定を行い、ピア・ツー・ピアトラフィック信号を受信し、ピア・ツー・ピアトラフィック信号を送信することができる。ネットワーク１００において使用される循環型タイミング構造が存在する。いくつかの実施形態において、例えば基準信号送信機１１６からのＯＦＤＭビーコン信号のような、基準信号は、タイミング構造と関連して同期化するために無線デバイスによって使用される。あるいは、タイミング構造と同期化するために使用される信号は、別のデバイス、例えばＧＰＳ送信機、基地局、または別のピア・ツー・ピアデバイス、から調達されうる。ネットワークにおいて使用されるタイミング構造は、複数の個別トラフィックスロットを含む。
【００１０】
図２、図２Ａおよび図２Ｂの組み合わせからなり、図２Ａおよび図２Ｂは、１つ以上の別の通信デバイスと通信する方法を実施するために、第１の無線端末、例えばピア・ツー・ピアモバイルノード、を動作する例示的な方法のフローチャート２００である。フローチャート２００の例示的な方法は、分散型制御を実施するピア・ツー・ピア通信ネットワーク、例えばアドホックピア・ツー・ピアネットワーク、により適している。動作は、第１の無線端末は起動かつ初期化される、ステップ２０２で開始し、ステップ２０４に進む。ステップ２０４において、第１の無線端末は、第２の無線端末、例えば別のピア・ツー・ピアモバイルノード、と第１の接続を確立する。動作はステップ２０４からステップ２０６に進む。
【００１１】
ステップ２０６において、第１の無線端末は、第２の無線端末に送信するデータ、例えば画像データ、オーディオデータ、および／またはテキストデータを含むトラフィックデータ、を有するか否かを決定する。第１の無線端末が第２の無線端末に送信するためのデータを有していると決定する場合、その後動作はステップ２０６から２０８に進む。そうでない場合、動作はステップ２０６からステップ２１０に進む。
【００１２】
ステップ２０８において、第１の無線端末は、第１のトラフィック送信スロットで送信されるべきデータに対して使用されるべき第１のサービス品質レベルを決定する。動作はステップ２０８からステップ２１１に進む。ステップ２１１において、第１の無線端末は、パイロット信号部およびサービス品質（ＱｏＳ）情報部を含む要求信号を生成する。ＱｏＳ情報部は、決定された第１のサービス品質レベルを伝達する。
【００１３】
動作はステップ２１１からステップ２１２に進む。ステップ２１２において、第１の無線端末は、生成された要求信号を、第１のトラフィック送信スロットに対応する第１のトラフィック送信要求ブロックで送信する。第１のトラフィック送信要求ブロックは、複数の送信ユニットセットを含み、該第１の送信要求ブロックの各送信ユニットセットは異なる接続識別子に対応し、該送信要求ブロックは異なる接続識別子のセットに対応する。いくつかの実施形態において、要求信号は、要求パイロット信号を通信するために使用される送信ユニット、および、第１のサービス品質レベルを通信するために使用される１つ以上の追加データユニットを使用して通信される。
【００１４】
動作はステップ２１２からステップ２１４に進む。ステップ２１４において、第１の無線端末は、送信要求応答のための第１のトラフィック送信スロット内の第１のトラフィック送信セグメントに対応する第１の送信要求応答ブロックをモニタする。第１の送信要求応答ブロックは、複数の送信ユニットセットを含み、第１の送信要求応答ブロックの各送信ユニットセットは、異なる接続識別子のセットの異なる接続識別子のうちの１つに対応する。動作はステップ２１４から接続ノードＡ ２１６を介してステップ２１８に進む。
【００１５】
ステップ２１８において、第１の無線端末は、モニタすることで検出された要求応答に含まれるサービス品質情報に基づいて、第１のトラフィック送信スロットで送信するか否かを決定する。ステップ２１８は、サブステップ２２０、２２２、および２２４のうちの１つ以上を含む。サブステップ２２４において、第１の無線端末は、（i）第１のデバイスを含まない１組のデバイスに対応する接続識別子に対応する要求応答が受信された場合、（ii）受信要求応答が第１のサービス品質レベルよりも高いサービス品質レベルを含む場合、および（iii）受信要求応答の電力が電力閾値を超える場合に送信しないことを決定する。サブステップ２２２において、第１のデバイスは、（i）要求応答が要求信号の返答として受信された場合、および（ii）要求応答閾値を超える電力レベルで第１のトラフィックスロットに対応する要求応答ブロックにおいて受信された任意の別の要求応答が第１のＱｏＳレベルよりも低いＱｏＳレベルを通信する場合に送信することを決定する。いくつかのそのような実施形態において、電力レベル閾値は、受信信号に基づいて１つの送信時間スロットから次の送信時間スロットへと動的に決定される。サブステップ２２４において、第１の無線端末は、別の接続に対応する受信応答および第１の接続に対応する受信応答の両方が応答電力レベル閾値を超え、同じサービス品質レベルを示す場合に、第１の接続以外の接続に対応して受信された応答の要求応答ブロックにおける相対位置、および、第１の接続に対応する応答の位置に基づいて決定を行う。
【００１６】
動作はステップ２１８からステップ２２６に進む。ステップ２２６において、第１の無線端末は、第１のトラフィック送信スロットでデータを送信するか否かについての決定に依存して別々に進む。ステップ２１８の決定が送信するとの決定である場合、動作はステップ２２６からステップ２２８に進む。しかしながら、ステップ２１６の決定が送信しないとの決定である場合、動作はステップ２２６から接続ノードＢ ２３２に進む。
【００１７】
ステップ２２８に戻り、ステップ２２８において、第１の無線端末は、第２の無線端末に送信するためにトラフィック信号を生成する。動作はステップ２２８からステップ２３０に進み、第１の無線端末は、第１のトラフィック送信スロットの第１のトラフィックセグメントで第２の無線端末に生成されたトラフィック信号を送信する。動作は、ステップ２３０から接続ノードB ２３２に進む。
【００１８】
ステップ２１０に戻り、ステップ２１０において、第１の無線端末は、例えば、第１の送信要求ブロックの内の、送信要求をモニタする。ステップ２１０は、サブステップ２３４およびサブステップ２３５を含ことができ、かつ、時々含む。サブステップ２３４において、第１の無線端末は、サービス品質インジケータを含む送信要求を、第１の無線端末が接続を有する第２の無線端末および第３の無線端末のうちの１つから受信する。受信送信要求信号は、さらにパイロット信号部を含む。サブステップ２３５において、第１の無線端末は、受信送信要求信号において伝達されるＱｏＳ情報、例えばＱｏＳレベル、を復元する。いくつかの実施形態において、復元は、パイロット信号部を処理して位相および／または振幅基準を獲得し、ＱｏＳレベルを復元するために、その獲得された位相および／または振幅基準を使用してＱｏＳ部を処理することを含む。動作はステップ２１０からステップ２３６に進む。
【００１９】
ステップ２３６において、第１の無線端末は、第１の無線端末が第２および第３の無線端末のうちの１つから要求を受信したか否かに依存して別々に進む。第１の無線端末が第２および第３の無線端末のうちの１つから要求を受信すると、動作は、ステップ２３６からステップ２３８に進む。そうでない場合、動作はステップ２３６から接続ノードＢ ２３２に進む。
【００２０】
ステップ２３８に戻り、ステップ２３８において、第１の無線端末は、要求応答を送信するか否かを決定、例えば、第１の無線端末が受信機譲歩決定を行う。動作は、ステップ２３８からステップ２４０に進む。ステップ２３８の決定が要求応答を送信しないものである場合、動作はステップ２４０から接続ノードＢ ２３２に進み、そうでない場合、動作はステップ２４０からステップ２４１に進む。ステップ２４１において、第１の無線端末は要求応答信号を生成する。いくつかの実施形態において、生成された要求応答信号は、パイロット信号部およびサービス品質情報信号部を含む。いくつかのそのような実施形態において、サービス品質情報部は、サブステップ２３５で復元された復元サービス品質情報、例えばＱｏＳレベル、のエコー（echo）である。動作は、ステップ２４１からステップ２４２に進む。ステップ２４２において、第１の無線端末は、サブステップ２３４の受信送信要求に応答して生成された要求応答信号を送信する。この実施形態において、それは要求に対する肯定応答を意味する。次に、ステップ２４４において、第１の無線端末は、第２および第３の無線端末のうちの１つからのトラフィック信号をモニタする。動作はステップ２４４から接続ノードＢ ２３２に進む。
【００２１】
動作は、接続ノードＢ ２３２からステップ２０６の入力に進み、第１の無線端末は、それが、例えば循環型タイミング構造における後続の送信スロットで第２の無線端末に送信するためのデータを有するか否かを再度考慮する。
【００２２】
図３は、例示的な実施形態従う例示的な無線端末３００、例えばピア・ツー・ピアモバイルノード、の図である。例示的な無線端末３００は、例えば、図１の通信デバイスのうちの１つである。例示的な無線端末３００は、様々なエレメントがデータおよび情報を交換しうる、バス３１２を介して互いに結合される無線受信機モジュール３０２、無線送信機モジュール３０４、ユーザＩ／Oデバイス３０８、プロセッサ３０６、およびメモリ３１０を含む。いくつかの実施形態において、無線端末３００は、さらにバス３１２に結合されたネットワークインターフェース３０７を含む。ネットワークインターフェース３０７を介して、無線端末３００は、ネットワークノードおよび／またはインターネットに結合されうる。
【００２３】
メモリ３１０は、ルーチン３１８およびデータ／情報３２０を含む。プロセッサ３０６、例えばＣＰＵ、は、無線端末３００の動作を制御し、方法、例えば図２のフローチャート２００の方法、を実施するために、メモリ３１０内のルーチン３１８を実行し、データ／情報３２０を使用する。
【００２４】
例えばＯＦＤＭおよび／またはＣＤＭＡ受信機のような、無線受信機モジュール３０２は、無線端末３００が別の無線端末から信号を受信する、無線受信機モジュール３０２に結合される。受信信号は、例えば、接続確立信号、送信要求信号、送信要求応答信号、およびピア・ツー・ピアトラフィック信号を含む。
【００２５】
例えばＯＦＤＭおよび／またはＣＤＭＡ送信機のような、無線送信機モジュール３０４は、無線端末３００が別の無線端末に信号を送信する、送信アンテナ３１６に結合される。送信信号は、例えば接続確立信号、送信要求信号、要求応答信号、および、ピア・ツー・ピアトラフィック信号を含む。いくつかの実施形態において、同一のアンテナが受信機および送信機に使用される。
【００２６】
ルーチン３１８は、通信ルーチン３２２および制御ルーチン３２４を含む。通信ルーチン３２２は、無線端末３００によって使用される様々な通信プロトコルを実施する。制御ルーチン３２４は、サービス品質決定モジュール３２６、送信要求制御モジュール３２８、要求信号発生モジュール３３０、要求応答監視モジュール３３２、送信機譲歩モジュール３３４、電力レベル閾値決定モジュール３４２、送信要求モニタモジュール３４３、受信機譲歩モジュール３４４、要求応答発生モジュール３４５、要求応答制御モジュール３４６、およびトラフィックモジュール３４７を含む。送信機譲歩モジュール３３４は、干渉評価サブモジュール３３６、送信クリアランスサブモジュール３３８、および優先度決定サブモジュール３４０を含む。
【００２７】
データ／情報３２０は、タイミング／周波数構造情報３４８、受信信号３５０、生成された信号３５２、および決定された閾値３５４を含む。タイミング／周波数構造情報３４８は、循環型タイミング構造（トラフィック送信スロット１情報３５６、・・・トラフィック送信スロットＮ情報３５８）における複数のトラフィック送信スロットに対応する情報を含む。トラフィック送信スロット１情報３５６は、送信要求ブロック情報３６０、送信要求応答ブロック情報３６２、およびトラフィックセグメント情報３６４を含む。トラフィック送信要求ブロック情報３７０は、トラフィックセグメント情報３６４によって識別されたセグメントにおけるトラフィック信号の送信を要求するトラフィック送信要求信号を伝達するために使用されるべき無線リンクリソース、例えばＯＦＤＭトーンシンボル、のブロックを識別する。トラフィック送信要求応答ブロック情報３６２は、情報３６４によって識別されたセグメントにおいてトラフィック信号を送信ために、例えば、対応するトラフィック送信要求への肯定応答を示す信号のような、トラフィック送信要求信号を伝達するために使用されるべき無線リンクリソースのブロック、例えばＯＦＤＭトーンシンボル、を識別する。トラフィックセグメント情報３６４は、トラフィック送信スロット１の間にトラフィック信号、例えばピア・ツー・ピアトラフィック信号、を伝達するために使用されるべき無線リンクリソース、例えば、ＯＦＤＭトーンシンボル、のセットを識別する情報を含む。送信要求ブロック情報３６０は、複数の異なる接続識別子（接続１ ＩＤセット情報３６８、・・・、接続Ｍ ＩＤセット情報３７０）に対応する情報を含む。接続１ ＩＤセット情報３６８は、パイロット信号部の送信ユニット情報３７２およびＱｏＳレベル部の送信ユニット情報３７４を含む。パイロット信号部の送信ユニット情報３７２は、循環型タイミング構造におけるトラフィック送信スロット１の間に送信要求ブロックにおいて、接続ＩＤ １を有する接続に関するトラフィック送信要求信号のパイロット信号部を伝達するために使用されるべき、例えばＯＦＤＭトーンシンボルのような、送信ユニットを識別する情報を含む。ＱｏＳ信号部の送信ユニット情報３７４は、循環型タイミング構造におけるトラフィック送信スロット１の間に送信要求ブロックにおいて、接続ＩＤ １を有する接続に関するトラフィック送信要求信号のＱｏＳレベルを伝達するために使用されるべき、例えば１つ以上の追加ＯＦＤＭトーンシンボルのような、１つ以上の追加送信ユニットを識別する情報を含む。送信要求応答ブロック情報３６２は、複数の異なる接続識別子（接続１ ＩＤセット情報３７６、・・・接続Ｍ ＩＤセット情報３７８）に対応する情報を含む。接続１ ＩＤセット情報３７６は、パイロット信号部の送信ユニット情報３８０およびＱｏＳレベル部の送信ユニット情報３８２を含む。パイロット信号部の送信ユニット情報３８０は、循環型タイミング構造におけるトラフィック送信スロット１の間に送信要求応答ブロックにおいて接続ＩＤ １を有する接続に関するトラフィック送信要求応答信号のパイロット信号部を伝達するために使用されるべき、例えばＯＦＤＭトーンシンボルのような、送信ユニットを識別する情報を含む。ＱｏＳ信号部の送信ユニット情報３８２は、循環型タイミング構造におけるトラフィック送信スロット１の間に送信要求応答ブロックにおいて、接続ＩＤ １を有する接続に関するトラフィック送信要求応答信号のＱｏＳレベルを伝達するために使用されるべき１つ以上の追加送信ユニット、例えば１つ以上の追加ＯＦＤＭトーンシンボル、を識別する情報を含む。
【００２８】
受信信号３５０は、例えば、接続確立信号、無線端末３００がメンバーである接続に対応するトラフィック送信要求信号、無線端末３００がメンバーではない接続に対応するトラフィック送信要求信号、無線端末３００がメンバーである接続に対応するトラフィック送信要求応答信号、無線端末３００がメンバーではない接続に対応するトラフィック送信要求応答信号、および、例えばピア・ツー・ピアトラフィック信号のような、トラフィック信号、を含む。
【００２９】
生成された信号３５０は、例えば、接続確立信号、無線端末３００がメンバーである接続に対応するトラフィック送信要求信号、無線端末３００がメンバーである接続に対応するトラフィック送信要求応答信号、および、例えばピア・ツー・ピアトラフィック信号のような、トラフィック信号を含む。
【００３０】
サービス品質決定モジュール３２６は、トラフィック送信スロットにおいて、無線端末３００がそれとの接続を有する別の無線端末に無線端末３００によって送信されるべきデータに対して使用されるべきサービス品質レベルを決定する。例えば、サービス品質決定モジュール３２６は、無線端末３００が第２の無線端末に送信されるべきデータを有する場合に、第１のトラフィック送信スロットで送信されるべきデータに対して使用されるべき第１のサービス品質レベルを決定する。決定された第１のサービス品質レベルは、例えば、可能な４つのＱｏＳレベルのうちの１つである。いくつかの実施形態において、その決定は、送信されるべきデータのタイプ、例えば、音声、画像、ファイルデータ等、に基づいて実行される。いくつかの実施形態において、その決定は、待ち時間考慮に基づいて実行される。いくつかの実施形態において、その決定は、送信待ち行列バックログ情報に基づいて実行される。いくつかの実施形態において、その決定は、デバイスまたはユーザ加入情報、例えば、デバイスまたはユーザが加入しているサービスプロバイダプラン、緊急サービスの加入など、に基づく。いくつかの実施形態において、その決定は、デバイスの性能に基づく。
【００３１】
送信要求制御モジュール３２８は、トラフィック送信スロットに対応する送信要求ブロックで要求信号を送信するように無線送信機モジュール３０４を制御する。例えば、送信要求制御モジュール３２８は、第１のトラフィック送信スロットに対応する第１の送信要求ブロックで要求信号を送信するように無線送信機モジュール３０４を制御する。ここで、第１の送信要求ブロックは、複数の送信ユニットセットを含み、第１の送信要求ブロックの各送信ユニットセットは異なる接続識別子に対応し、第１の送信要求ブロックは、異なる接続識別子のセットに対応する。
【００３２】
要求信号生成モジュール３３０は、要求パイロット信号部および要求サービス品質レベル部を含む送信要求信号を生成する。送信要求制御モジュール３２８は、要求パイロット信号部を通信するために使用される送信ユニット、および、要求サービス品質レベル部を通信するための１つ以上の追加送信ユニットを使用して通信されるべき生成された要求信号を制御するように構成される。
【００３３】
要求応答モニタモジュール３３２は、送信要求応答のためのトラフィック送信スロット内のトラフィック送信セグメントに対応する送信要求応答ブロックをモニタする。例えば、要求応答モニタモジュール３３２は、送信要求応答のための第１のトラフィック送信スロットに対応する第１の送信要求応答ブロックをモニタする。ここで、第１の送信要求応答ブロックは複数の送信ユニットセットを含み、第１の送信要求応答ブロックの各送信ユニットセットは、異なる接続識別子のセット内の異なる接続識別子のうちの１つに対応する。
【００３４】
送信機譲歩モジュール３２４は、トラフィック送信スロットの要求応答ブロックをモニタすることによって検出される要求応答に含まれるサービス品質レベル情報に基づいて、無線端末３００が送信することを望むトラフィック送信スロットで送信するか否かを決定する。例えば、送信機譲歩モジュール３３４は、第１の送信要求応答ブロックをモニタすることで検出される要求応答に含まれるサービス品質レベル情報に基づいて、第１の送信スロットで送信するか否かを決定する。
【００３５】
干渉評価サブモジュール３６は、（i）無線端末３００を含まない１組のデバイスに対応する接続識別子に対応する要求応答が受信された場合、（ii）受信要求応答が無線端末３００接続と関連付けられたサービス品質レベル、例えば第１のサービス品質レベル、よりも高いサービス品質レベルを含む場合、および、（iii）受信要求応答の電力レベルが電力レベル閾値を超える場合に送信しないことを決定する。このように、干渉評価サブモジュール３３６は、その指定トラフィック送信からの干渉がより高いＱｏＳレベルを有する別の予想されるトラフィック送信に対して許容できないと予想される場合に、無線端末３００が指定トラフィック送信を続けるのを止める。
【００３６】
送信クリアランスサブモジュール３３８は、（ｉ)無線端末３００が送信した送信要求信号に応じて、要求応答が受信される場合、ii)無線端末３００の接続と関連付けられるＱｏＳレベルよりも高いＱｏＳレベル、例えば第１のＱｏＳレベルを通信して、要求応答電力閾値より上の電力レベルが受信され、考慮下のトラフィック送信スロット、例えば第１のトラフィック送信スロットに対応する要求応答ブロックにおいて、要求応答が受信されない場合に送信することを決定する。このように、送信クリアランスサブモジュール３３８によって、無線端末３００は、それが送信要求に対する受諾可能な応答を受信した場合、および、別のより高いＱｏＳレベル送信への許容できない干渉を引き起こすことが予想されない場合に、指定トラフィック送信を続けることができる。
【００３７】
優先度決定サブモジュール３４０は、それ自体の接続以外の接続に対応する受信応答、および、それ自体の接続に対応する受信応答の両方が、応答電力レベル閾値を超え、同一のサービス品質レベルを示す場合に、その接続以外の接続に対応して受信された応答の要求応答ブロック内の相対位置、および、その接続に対応して受信された応答の位置に基づいて、トラフィック送信スロットの間に無線端末３００に対して送信決定を行う。このように、この実施形態において、同一のトラフィックセグメント上で同時に送信しようとする２つの競合する、同時に送信することができないであろう、接続間のサービス品質レベルタイ状態について、要求応答送信ユニットの位置で伝達される優先度情報が送信するか否かを決定するために利用される。
【００３８】
電力レベル閾値決定モジュール３４２は、受信電力に基づいて１つの送信スロットから次の送信スロットへと動的に電力レベル閾値を決定する。決定された閾値３５４は、送信機譲歩モジュール３３４によって入力として使用されるモジュール３４２の出力である。
【００３９】
送信要求モニタモジュール３４３は、無線端末３００が接続を有する第３のモジュールからの、例えばサービス品質レベルインジケータを含む送信要求信号のような、無線受信機モジュール３０２によって受信される送信要求信号の受信を検出する。いくつかの実施形態において、送信要求モニタモジュールは、受信パイロット信号部を使用して位相基準および／または電力レベル基準を決定し、ＱｏＳレベル信号部で通信されているサービス品質情報を復元するために、決定された位相基準および／または決定された電力レベル基準を使用するサービス品質レベル情報復元モジュールを含む。
【００４０】
受信機譲歩モジュール３３４は、無線端末３００がメンバーである接続に対応する検出された送信要求信号に応答して受信機譲歩決定を行う。受信機譲歩モジュール３４４は、検出された送信要求信号の受信電力レベル、受信送信要求信号で通信される復元されたＱｏＳレベル、および、送信要求ブロックで検出された送信要求信号の位置に基づいて受信機譲歩決定を行う。
【００４１】
要求応答生成モジュール３４５は、受信機譲歩モジュール３４４が譲歩しないと決定した場合に要求応答信号を生成する。生成された要求応答信号は、パイロット信号部およびＱｏＳ情報部を含む。いくつかの実施形態において、要求応答生成モジュール３４５は、要求応答信号内の対応する要求信号から復元された同一のＱｏＳ情報、例えばＱｏＳレベル、を含む。
【００４２】
要求応答制御モジュール３４６は、サービス品質レベルインジケータを含む要求応答信号を送信するように無線送信機モジュールを制御する。例えば、特定のトラフィック送信スロットおよび無線端末３００がメンバーである接続に対応して、無線端末３００は、トラフィック送信要求を受信し、受信機譲歩モジュール３４４は譲歩しないことを決定し、次に、要求応答制御モジュール３４６は、モジュール３４６から生成された要求応答信号を送信するように無線送信機モジュール３０４を制御する。ここで、生成された要求応答信号は、対応する受信送信要求信号において示されるサービス品質レベルを含む。
【００４３】
トラフィックモジュール３４７は、送信要求が送信され、対応する要求応答が受信され、送信機譲歩モジュール３３４が譲歩しないことを決定した場合に、ピア・ツー・ピアトラフィック信号を生成して、生成されたピア・ツー・ピアトラフィック信号を適切なトラフィックセグメントで送信するように無線送信機モジュール３０４を制御する。トラフィックモジュール３４７は、無線端末３００に向けられた送信要求が受信され、受信機譲歩モジュール３４４が譲歩しないことを決定した場合に、適切なトラフィックセグメントにおけるピア・ツー・ピアトラフィック信号の受信を試みるように無線受信機モジュール３０２を制御し、トラフィックデータを復元するために受信トラフィック信号を処理する。
【００４４】
図４は、ある実施形態において使用される例示的な循環型ピア・ツー・ピアタイミング／周波数構造を示す図４００である。例えば、図４に示されるタイミング／周波数構造は、図３の無線端末３００のタイミング／周波数構造情報３４８によって示されるタイミング／周波数構造の１つの例示的な実施形態である。
【００４５】
図４００は、周波数、例えばOFDMトーン、を表す垂直軸４０２と、時間を表す水平軸４０４とを含む。無線リンクリソースは、接続確立管理無線リソース４０６および複数のトラフィックスロット（トラフィックスロット１ ４０８…トラフィックスロットＮ ４１０）に対応する無線リンクリソースを含む。トラフィックスロット１ ４０８は、要求ブロック４１２、要求応答ブロック４１４、およびトラフィックセグメント４１６を含む。トラフィックスロットＮ ４１０は、要求ブロック４１８、要求応答ブロック４２０、およびトラフィックセグメント４２２を含む。
【００４６】
要求ブロック４１２は、８つの送信ユニットセットを含み、送信要求ブロック４１２内の各送信ユニットセットは異なる接続識別子に対応し、送信要求ブロック４１２は、８つの異なる接続識別子のセット（Ｃ１、Ｃ２、Ｃ３、Ｃ４、Ｃ５、Ｃ６、Ｃ７、Ｃ８）に対応する。この例示的な実施形態において、各送信ユニットセットは２つの送信ユニットを含む。送信ユニットセットは、トラフィックセグメント４１６において送信トラフィック信号を使用することを要求するトラフィック送信要求信号を伝達するために使用される。第１の送信ユニットセットは、接続に対応するトラフィック送信要求パイロット信号の伝達に使用されるように指定され、第２の送信ユニットセットは、接続に対応するＱｏＳレベルを伝達するように指定される。
【００４７】
要求応答ブロック４１４は、８つの送信ユニットセットを含み、送信要求応答ブロック４１４内の各送信ユニットセットは、異なる接続識別子に対応し、送信要求応答ブロック４１４は、８つの異なる接続識別子のセット（Ｃ１、Ｃ２、Ｃ３、Ｃ４、Ｃ５、Ｃ６、Ｃ７、Ｃ８）に対応する。この例示的な実施形態において、各送信ユニットセットは２つの送信ユニットを含む。送信ユニットセットは、トラフィックセグメント４１６において指定要求トラフィックシグナリングを続けるために、対応受信トラフィック送信要求信号に応答し、かつ、肯定応答を通信するトラフィック送信要求応答信号、例えばＲＸエコー信号、を伝達するために使用される。第１の送信ユニットセットは、接続に対応するトラフィック送信要求応答パイロット信号の伝達に使用されるように指定され、第２の送信ユニットセットは、接続に対応するＱｏＳレベル、例えば対応要求信号において受信されるＱｏＳレベルの繰り返し、を伝達するように指定される。
【００４８】
要求ブロック４１８は、８つの送信ユニットセットを含み、送信要求ブロック４１８の各送信ユニットセットは、異なる接続識別子に対応し、送信要求ブロック４１８は、８つの異なる接続識別子のセット（Ｃ１、Ｃ２、Ｃ３、Ｃ４、Ｃ５、Ｃ６、Ｃ７、Ｃ８）に対応する。この例示的な実施形態において、各送信ユニットセットは、２つの送信ユニットを含む。送信ユニットセットは、トラフィックセグメント４２２において送信トラフィック信号を使用することを要求するトラフィック送信要求信号を伝達するために使用される。第１の送信ユニットセットは、接続に対応するトラフィック送信要求パイロット信号の伝達に使用されるように指定され、第２の送信ユニットセットは、接続に対応するＱｏＳレベルを伝達するように指定される。
【００４９】
要求応答ブロック４２０は、８つの送信ユニットセットを含み、送信要求応答ブロック４２０の各送信ユニットセットは、異なる接続識別子に対応し、送信要求応答ブロック４２０は８つの異なる接続識別子のセット（Ｃ１、Ｃ２、Ｃ３、Ｃ４、Ｃ５、Ｃ６、Ｃ７、Ｃ８）に対応する。この例示的な実施形態において、各送信ユニットセットは、２つの送信ユニットを含む。送信ユニットセットは、トラフィックセグメント４２２内の指定要求トラフィックシグナリングを続けるために、対応受信トラフィック送信要求信号に応答し、肯定応答を通信するトラフィック送信要求応答信号、例えばＲＸエコー信号、を伝達するために使用される。第１の送信ユニットセットは、接続に対応するトラフィック送信要求応答パイロット信号の伝達に使用されるように指定され、第２の送信ユニットセットは、接続に対応するＱｏＳレベル、例えば対応要求信号において受信されたＱｏＳレベルの繰り返し、を伝達するように指定される。
【００５０】
特定の接続識別子に関連付けられた要求ブロックおよび要求応答ブロックにおける送信ユニットセットの位置が、例えば実施されるホッピングシーケンスに従って、トラフィックスロットＮ ４１０と比べて、トラフィックスロット１ ４０８で異なることは観察されるべきである。優先度情報は、要求ブロックおよび要求応答ブロックにおける送信ユニットセットの位置と関連付けられる。例えば、要求ブロックまたは要求応答ブロックにおける送信ユニットの位置と関連付けられた優先度情報は、２つの競合するトラフィック送信要求または２つの競合するトラフィック送信要求応答と関連付けられたＱｏＳレベルが同じ場合に、受信機譲歩決定または送信機譲歩決定を決定する際に、タイブレーカ（tie-breaker）が使用される。
【００５１】
図５は、既存のピア・ツー・ピア接続を有する２組の無線端末の図であり、１つのトラフィック送信スロットの間の例示的な要求および要求応答シグナリングを示す。図５の無線端末は、例えば、図１の通信デバイス、図２のフローチャート２００の方法を実施するデバイス、および／または図３の例示的な無線端末３００に従うデバイスのうちのいずれかである。第１の組の無線端末（無線端末Ａ ５０２、無線端末Ｂ ５０４）は、現在、無線端末Ａ ５０２から無線端末Ｂ ５０４へのピア・ツー・ピアトラフィックシグナリングと関連付けられた接続C１ ５１０を有する。第２の組の無線端末（無線端末Ｃ ５０６、無線端末Ｄ ５０８）は、現在、無線端末Ｃ ５０６から無線端末Ｄ ５０８へのピア・ツー・ピアトラフィックシグナリングと関連付けられた接続Ｃ３ ５１２を有する。
【００５２】
無線端末（５０２、５０４、５０６、５０８）が図４のピア・ツー・ピアタイミング構造を使用しており、無線端末Ａ ５０２がトラフィックスロット１ ４０８のトラフィックセグメント４１６における無線端末Ｂ ５０４へのピア・ツー・ピアトラフィック信号の送信を望んでおり、かつ、無線端末Ｃ ５０６がトラフィックスロット１ ４０８のトラフィックセグメント４１６における無線端末Ｄ ５０８へのピア・ツー・ピアトラフィック信号の送信を望んでいると想定する。無線端末Ａ ５０２は、トラフィック送信要求信号を生成し、無線端末B ５０４に送信する。生成されたトラフィック送信要求信号は、（ｉ）ＯＦＤＭトーンシンボル５１４のパイロットＡ表示で示される、要求ブロック４１２においてその接続識別子（Ｃ１）と関連付けられた送信ユニットセットの第１の送信ユニットで通信されるパイロット部、および（ｉｉ）ＯＦＤＭトーンシンボル５１６におけるＱｏＳ：Ｌ１という名称で示される、要求ブロック４１２の中のその接続識別子（Ｃ１）と関連付けられた送信ユニットセットの第２の送信ユニットで通信されるサービス品質（ＱｏＳ）情報部を含む。無線端末Ｃ ５０６は、トラフィック送信要求信号を生成し、無線端末Ｄ ５０８に送信する。生成されたトラフィック送信要求信号は、（ｉ）ＯＦＤＭトーンシンボル５１８におけるパイロットＣという名称で示される、要求ブロック４１２においてその接続識別子（Ｃ３）と関連付けられた送信ユニットセットの第１の送信ユニットで通信されるパイロット部、および（ｉｉ）ＯＦＤＭトーンシンボル５２０におけるＱｏＳ：Ｌ２という名称で示される、要求ブロック４１２の中のその接続識別子（Ｃ３）と関連付けられた送信ユニットセットの第２の送信ユニットで通信されるサービス品質（ＱｏＳ）情報部を含む。Ｌ１が第１のサービス品質レベルを表し、Ｌ２が、Ｌ１とは異なる可能性がある、および時々異なる第２のサービス品質レベルを表すと想定する。
【００５３】
無線端末Ｂ ５０４は、それ自体の接続および別の接続に対応する送信要求信号のための要求ブロック４１２をモニタする。無線端末Ｂ ５０４が、それ自体の接続（Ｃ１）に対応する、無線端末Ａ ５０２からの送信要求信号を検出し、接続Ｃ３に対応する無線端末Ｃ ５０６からの送信要求信号を検出すると想定する。無線端末Ｂ ５０２は、例えば、パイロット信号部から、検出された要求信号の受信電力を測定する。無線端末Ｂ ５０４は、さらに送信ユニット上の検出されたパイロット信号部（５１４、５１８）の各々からの情報、例えば位相基準および／または電力基準、を復元し、通信されているサービス品質情報ビットを復元するために、その復元された情報を使用して、送信ユニット上の対応するサービス品質情報部（５１６、５２０）をそれぞれ評価する。いくつかの実施形態において、ＱｏＳレベルはＱＰＳＫ信号として通信される。いくつかの実施形態において、ＱｏＳレベルはＢＰＳＫ信号としてされる。無線端末Ｂ ５０４は、検出された要求信号の受信電力レベルおよび通信されたＱｏＳレベル情報に基づいて受信機譲歩決定を行う。いくつかの実施形態のいくつかの時点において、無線端末Ｂ ５０４は、また、要求ブロック４１２内の検出された要求の位置に基づいて受信機譲歩決定を行う。無線端末Ｂ ５０４が譲歩しないと決定すると、無線端末Ｂ ５０４は要求応答信号、例えばRXエコー信号を生成し、無線端末Ａ ５０２に送信する。そのような生成された要求応答信号は、（ｉ）要求応答ブロック４１４のＯＦＤＭトーンシンボル５２２のパイロットＢという名称で示される、要求応答ブロック４１４においてその接続識別子（Ｃ1）と関連付けられた送信ユニットセットの第１の送信ユニット上のパイロット信号部、および（ｉｉ）ＯＦＤＭトーンシンボル５２４のＱｏＳ：L１という名称で示される、要求応答ブロック４１４のおけるその接続識別子（Ｃ1）と関連付けられた送信ユニットセットの第２の送信ユニット上で通信されるサービス品質（ＱｏＳ）情報部を含む。この例示的な実施形態において、要求応答信号で通信されるＱｏＳレベルは、対応する要求信号で通信されるＱｏＳレベルのエコーである。無線端末Ｂがトラフィックを送信し続けること承認する無線端末Ａ５０２を与えていないことを示す、受信機譲歩の実行を無線端末Ｂ５０４が決定する場合、無線端末Ｂは、その接続識別子（C1）と関連付けられた要求応答送信ユニットセットにおける要求応答信号の送信をやめる。すなわち、無線端末Ｂ ５０４は、要求応答ブロック４１４の送信ユニット（５２２、５２４）上での送信をやめる。
【００５４】
無線端末Ｄ ５０８は、それ自体の接続および別の接続に対応する送信要求信号のための要求ブロック４１２をモニタする。無線端末Ｄ ５０８がそれ自体の接続（Ｃ３）に対応する無線端末Ｃ ５０６からの送信要求信号を検出し、接続Ｃ１に対応する無線端末A ５０２からの送信要求信号を検出すると想定する。無線端末Ｄ ５０８は、例えばパイロット信号部から、検出された要求信号の受信電力を測定する。無線端末Ｄ ５０８は、さらに送信ユニット（５１８、５１４）上の検出されたパイロット信号部の各々からの情報、例えば位相基準および／または電力基準、を復元し、その復元された情報を使用して、通信されているサービス品質レベル情報ビットを復元するために、送信ユニット（５２０、５１５）上の対応するサービス品質情報部をそれぞれ評価する。いくつかの実施形態において、ＱｏＳレベルはＱＰＳＫ信号として通信される。いくつかの実施形態において、ＱｏＳレベルはＢＰＳＫ信号として伝達される。無線端末Ｄ ５０８は、検出された要求信号の受信電力レベルおよび伝達されたＱｏＳレベル情報に基づいて受信機譲歩決定を行う。いくつかの実施形態のいくつかの時点において、無線端末Ｄ ５０８は、さらに、要求ブロック４１２内の検出された要求の位置に基づいて受信機譲歩決定を行う。無線端末Ｄ ５０８が譲歩しないと決定すると、無線端末Ｄ ５０８は、要求応答信号、例えばＲＸエコー信号、を生成し、無線端末Ｃ ５０６に送信する。そのような生成された要応答信号は、（ｉ）要求応答ブロック４１４のＯＦＤＭトーンシンボル５２６においてパイロットＤという名称で示される、要求応答ブロック４１４内のその接続識別子（Ｃ３）と関連付けられた送信ユニットセットの第1の送信ユニット上のパイロット信号部、および（ｉｉ）ＯＦＤＭトーンシンボル５２８内のＱｏＳ：L２という名称で示される、要求応答ブロック４１４内のその接続識別子（Ｃ３）と関連付けられた送信ユニットセットの第２の送信ユニット上で伝達されたサービス品質（ＱｏＳ）情報部を含む。この例示的な実施形態において、要求応答信号内で伝達されるＱｏＳレベルは、対応する要求信号において伝達されるＱｏＳレベルのエコーである。譲歩無線端末Ｄがトラフィックを送信し続けることを承認する無線端末Ｃ ５０６を得ていないことを示す、受信機譲歩を無線端末５０８Ｄが決定する場合、無線端末Ｄ ５０８は、その接続識別子（C３）と関連付けられた要求応答送信ユニットセットにおける要求応答信号の送信をやめる。すなわち、無線端末Ｄ ５０８は要求応答ブロック４１４の送信ユニット（５２６、５２８）上での送信をやめる。
【００５５】
無線端末Ａ ５０２は、それ自体の接続および別の接続に対応する送信要求応答信号のための要求応答ブロック４１４をモニタする。無線端末Ａ ５０２がそれ自体の接続（Ｃ１）に対応する無線端末Ｂ ５０４からの送信要求信号を検出し、接続Ｃ３に対応する無線端末Ｄ ５０８からの送信要求信号を検出すると想定する。無線端末Ａ ５０２は、例えばパイロット信号部から、検出された要求信号の受信電力を測定する。無線端末Ａ ５０２は、さらに、送信ユニット（５２２、５２６）上の検出されたパイロット信号部の各々から、例えば位相基準および／または電力基準のような、情報を復元し、復元された情報を使用して、伝達されているサービス品質レベル情報ビットを復元するために、送信ユニット（５２４、５２８）上の対応するサービス品質情報部をそれぞれ評価する。いくつかの実施形態において、ＱｏＳレベルはＱＰＳＫ信号として伝達される。いくつかの実施形態において、ＱｏＳレベルはＢＰＳＫ信号として伝達される。いくつかの実施形態において、要求応答信号内のＱｏＳレベルが、対応する要求信号内のＱｏＳレベルのエコーの場合、無線端末Ａ ５０２は、それがＱｏＳレベルをすでに知っているため、それ自体の接続に対応するＱｏＳ情報を復元する必要も、復元することもない。無線端末Ａ ５０２は、検出された要求応答信号の受信電力レベルおよび伝達されたＱｏＳレベル情報に基づいて送信機譲歩決定を行う。いくつかの実施形態のいくつかの時点において、無線端末Ａ ５０２は、さらに、要求応答ブロック４１４内の検出された要求応答の位置に基づいて送信機譲歩決定を行う。無線端末Ａ ５０２が譲歩しないと決定すると、無線端末Ａ ５０２は、ピア・ツー・ピアトラフィック信号を生成し、トラフィックセグメント４１６において無線端末Ｃ ５０６に送信する。無線端末Ａ ５０２が送信機譲歩の実行を決定すると、無線端末A ５０２は、トラフィックセグメント４１６におけるピア・ツー・ピアトラフィック信号の送信をやめる。
【００５６】
無線端末Ｃ ５０６は、それ自体の接続および別の接続に対応する送信要求応答信号のための要求応答ブロック４１４をモニタする。無線端末Ｃ ５０６がそれ自体の接続（Ｃ３）に対応する無線端末Ｄ ５０８からの送信要求信号を検出し、接続Ｃ１に対応する無線端末Ｂ ５０４からの送信要求応答信号を検出すると想定する。無線端末Ｃ ５０６は、例えばパイロット信号部から、検出された要求応答信号の受信電力を測定する。無線端末Ｃ ５０６は、さらに、送信ユニット（５２６、５２２）上の検出されたパイロット信号部の各々から、例えば位相基準および／または電力基準のような情報を復元し、復元された情報を使用して、伝達されるサービス品質レベル情報ビットを回復するために、送信ユニット（５２８、５２４）上の対応するサービス品質情報部をそれぞれ評価する。いくつかの実施形態において、ＱｏＳレベルはＱＰＳＫ信号として伝達される。いくつかの実施形態において、ＱｏＳレベルはＢＰＳＫ信号として伝達される。いくつかの実施形態において、要求応答信号内のＱｏＳレベルが、対応する要求信号内のＱｏＳレベルのエコーの場合、無線端末Ｃ ５０６は、それがＱｏＳレベルをすでに知っているため、それ自体の接続に対応するＱｏＳ情報を復元する必要も、復元することもない。無線端末Ｃ ５０６は、検出された要求応答信号の受信電力レベルおよび伝達されたＱｏＳレベル情報に基づいて送信機譲歩決定を行う。いくつかの実施形態のいくつかの時点において、無線端末Ｃ ５０６は、さらに、要求応答ブロック４１４内の検出された要求応答の位置に基づいて送信機譲歩決定を行う。無線端末Ｃ ５０２が譲歩しないことを決定すると、無線端末Ｃ ５０６は、ピア・ツー・ピアトラフィック信号を生成し、トラフィックセグメント４１６において無線端末Ｄ ５０８に送信する。無線端末Ｃ ５０６は、送信機譲歩の実行を決定すると、無線端末Ｃ ５０６は、トラフィックセグメント４１６におけるピア・ツー・ピアトラフィック信号の送信をやめる。
【００５７】
要求または要求応答信号のパイロット信号部の使用が、同様に送信機デバイスに関して異なるチャネル情報を有しうる複数の異なる受信機によって要求または要求応答信号でさらに伝達される対応するサービス品質情報の復元を容易にすることは認識されるべきである。
【００５８】
図６は、図５の例に対応する例示的な譲歩決定パラメータ考慮を示すテーブル６００である。第１の列６０２はデバイス識別し、第２の列６０４は譲歩決定のタイプを識別し、第３の列６０６は譲歩決定において考慮されるパラメータを識別する。第１の行６０８は、無線端末Ｂが、無線端末Ａからの送信要求パイロットの受信電力、無線端末Ｃからの送信要求パイロットの受信電力、無線端末Ａからの送信要求において通信されたＱｏＳレベル、無線端末Ｃからの送信要求において通信されたＱｏＳレベル、無線端末Ａからの要求および無線端末Ｃからの要求の要求ブロックにおける相対位置に基づいてＲＸ譲歩決定を行うことを識別する。第２の行６１０は、無線端末Ｄが、無線端末Ｃからの送信要求パイロットの受信電力、無線端末Ａからの送信要求パイロットの受信電力、無線端末Ｃからの送信要求において通信されたＱｏＳレベル、無線端末Ａからの送信要求において通信されたＱｏＳレベル、および、無線端末Ｃからの要求および無線端末Ａからの要求の要求ブロックにおける相対位置に基づいてＲＸ譲歩決定を行うことを識別する。第３の行６１２は、無線端末Ａが、無線端末Ｂからの送信要求応答パイロットの受信電力、無線端末Ｄからの送信要求パイロットの受信電力、無線端末Ａからの送信要求において通信されたＱｏＳレベル、無線端末Ｃからの送信要求応答において通信されたＱｏＳレベル、および無線端末Ｂからの要求応答および無線端末Ｄからの要求応答の要求応答ブロックにおける相対位置に基づいてＴＸ譲歩決定を行うことを識別する。いくつかの実施形態において、要求応答において通信されるＱｏＳレベルは、対応する要求信号において通信されるＱｏＳ信号の単なるエコーではない。いくつかのそのような実施形態において、無線端末は、無線端末Ｂに送信された要求信号内のＱｏＳレベルよりはむしろ、無線端末Ｂからの受信要求応答信号内のＱｏＳレベルに基づいて送信機譲歩決定を行う。第４の行６１４は、無線端末Ｃが、無線端末Ｄからの送信要求応答パイロットの受信電力、無線端末Ｂからの送信要求応答パイロットの受信電力、無線端末Ｃからの送信要求において通信されたＱｏＳレベル、無線端末Ｂからの送信要求応答において通信されたＱｏＳレベル、および無線端末Ｄからの要求応答および無線端末Ｂからの要求応答の要求応答ブロック内の相対位置に基づいてＴＸ譲歩決定を行うことを識別する。いくつかの実施形態において、要求応答において通信されるＱｏＳレベルは、対応する要求信号において通信されるＱｏＳ信号の単なるエコーではないいくつかのそのような実施形態において、無線端末Ｃは、無線端末Ｃによって無線端末Ｄに送信された要求信号におけるＱｏＳレベルよりはむしろ、無線端末Ｄからの受信要求応答信号内のＱｏＳレベルに基づいて送信機譲歩決定を行う。
【００５９】
図７は、ピア・ツー・ピアにおける２組の無線端末の示す図７００である。第１の組は、無線端末７０２、Ｔｘ１と表示される、および無線端末７０４、Ｒｘ１と表示される、を含む。第１の組は、トラフィックスロット毎にトラフィックスロット上で無線端末７０２から無線端末７０４へのピアトラフィックシグナリングをサポートする接続７０６を有する。第２の組は、無線端末７０８、Ｔｘ２と表示される、および無線端末７１０、Ｒｘ２と表示される、を含む。第２の組は、トラフィックスロット毎に、トラフィックスロット上で無線端末７０８から無線端末７１０へのピアトラフィックシグナリングをサポートする接続７１２を有する。無線端末（７０２、７０４、７０８、７１０）は、例えば、図１のいずれかの通信デバイスであり、図２のフローチャート２００に従って方法を実施し、および／または、図３の無線端末３００に従って実施される。２つの送信機（Tｘ１およびＴｘ２）が受信機（Rx１およびＲｘ２）にそれぞれ同時に送信することを望む状況を考慮する。所望の送信は、例えば、ピア・ツー・ピアトラフィック送信である。いくつかの実施形態において、通信Ｔｘ１−Ｒｘ１とＴｘ２−Ｒｘ２が直交すべきか再使用するべきかを、分散された方法で送信機および受信機が決定するチャネル制御メカニズムが提供される。再使用することを決定した場合、いくつかの実施形態において、送信電力も、さらに分散された方法で決定される。さらに、例示的な方法は、さらにサービス品質（ＱｏＳ）制約をサポートする。例えば、Ｔｘ２−Ｒｘ２通信が、現在のデータスロットに対して、Ｔｘ１−Ｒｘ１通信よりも厳しいＱｏＳ要求を有する場合、Ｔｘ２−Ｒｘ２通信は進んで行うことになり、Ｔｘ１−Ｒｘ１通信は、Ｔｘ２−Ｒｘ２通信に対してそこまで機能低下を引き起こさない場合に限り進んで行うことになる。さらに、例示的な方法は、２組を備える例に適していることに加えて多数の同時に起こる無線通信に対して機能する。
【００６０】
いくつかの実施形態において、同期化システム、Ｔｘ-Ｒｘの組の各々が中央基地局、GPS、またはいくつかの別のメカニズムを理由に同期化される、を想定する。同期化に使用されるデバイスの一例は、図１の基準信号送信機１１６である。いくつかの実施形態において、各データバーストが同期化され、衝突解決に使用される制御チャネルから生じる。この制御チャネルの構造について、いくつかの実施形態では、短いシンボルおよび複数のＴｘ-Ｒｘステップが存在する。いくつかの別の実施形態において、単一のＴｘ-Ｒｘステップが存在する。制御チャネル、例えばプリアンブル、が、Ｔｘ部、時々送信要求ブロックと呼ばれる、およびＲｘ部、時に要求応答ブロックと呼ばれる、を含む一例を考慮する。１つのそのような実施形態において、各部分は、各々が３２トーンの８つの短いＯＦＤＭシンボルを有し、それは、２５６直交自由度を意味する。図８の図８００は、そのような例示的な実施形態を示す。水平軸８０２は、時間インデックス、例えばＯＦＤＭシンボル送信時間インターバル、を表し、垂直軸８０４は、周波数、例えばＯＦＤＭトーンインデックスを表す。プリ・プリアンブル８０６、時々トラフィックスロットスケジューリング部と呼ばれる、は、Ｔｘ部８０８およびＲｘ部８１０を含む。Ｔｘ部８０８、時々トラフィック送信要求ブロックと呼ばれる、は、各ＯＦＭＤシンボルが３２トーンを含んでいる８つのＯＦＤＭシンボルを含む。Ｒｘ部８１０、時々トラフィック送信要求応答ブロックと呼ばれる、は、各ＯＦＤＭシンボルが３２トーンを含んでいる８つのＯＦＤＭシンボルを含む。
【００６１】
ここで、アクティブ接続の各々が直交ＭＡＣ ＩＤを有すると想定する。ここで、ＭＡＣ ＩＤは1から１２８の範囲内である。さらに、典型的な接続は双方向であり、それによって、その接続が２つの直交ＭＡＣ ＩＤ、トラフィックフローの各方向につき１つ、を獲得すると想定する。タイミング構造がインデックスされたデータスロットと共に利用されると想定する。直交ＭＡＣ ＩＤおよび現在のデータスロットに基づいて、２つのトーンは、要求を作成するために、Ｔｘ部の送信機によって選定される。いくつかの実施形態において、ＭＡＣ ＩＤと関連付けられた２つのトーンは、２つの連続ＯＦＤＭシンボルに対して同一のトーンである。ＭＡＣ ＩＤをこれらの２つのトーンにマッピングすることはデバイスの各々に知られている。要求は第１のトーン上でエネルギーによって示され、ＱｏＳ情報は第２のトーンを使用して送信される第２のトーン上のＱｏＳ情報は、第１のトーンをパイロットトーンとして使用して復号される。同様に、受信機は、それが指定送信機から要求を聞いた場合、および、その要求を受諾することを選んだ場合に、Ｒｘ部の対応する２つのトーンを使用してＱｏＳ情報をエコーバック（echo back）することを決定する。
【００６２】
この設計によって、各受信機は各送信機およびＱｏＳ情報のエコーを聞くことが可能になるという点が観察されうる。このアプローチは、さらに、送信機が、要求およびそのＱｏＳ情報の受諾を決定した受信機の各々を聞くことを可能にする。いくつかの実施形態において、２つのトーン設計が、妥当なＳＮＲ範囲に対して最大２つのＱｏＳビットをサポートすることに注意されたい。より多くのＱｏＳビットが必要とされるいくつかの別の実施形態において、より多くのトーン、例えば、１つのトーンがパイロットトーンとして使用され、２つの追加トーンがＱｏＳ情報ビットを搬送するために使用されている３つのトーン、が各直交ＭＡＣ ＩＤに割り当てられる。
【００６３】
ここで、優先度の概念は、要求を作成するために使用されるトーンに、おそらくはデータバーストＩＤに、すなわち優先度の概念はデータバースト毎に変化する、およびＱｏＳビットにリンクされる可能性があり、かつ時々リンクされる。このように、優先度は、（i）Ｒｘ部において要求を搬送するために使用される送信ユニットの位置、（ii）タイミング構造内のトラフィックスロット、および（iii）ＱｏＳビットに基づきうる。一例の２組のＴｘ-Ｒｘ、Ｔｘ１-Ｒｘ１およびＴｘ2-Ｒｘ２、について、Ｔｘ１-Ｒｘ１は、（１）Ｔｘ１のＱｏＳがＴｘ２のＱｏＳよりも高いか、（２）Ｔｘ１のＱｏＳがＴｘ２のＱｏＳに等しいかのいずれかである場合に、より高い優先度であるが、Ｔｘ-１が要求を作成するために使用するトーンに割り当てられる優先度は、Ｔｘ２が使用するトーンに割り当てられた優先度よりも高い。
【００６４】
互いの聞くことができるＴｘ-Ｒｘ組の各々の中で、現在のデータスロットのために保持する、よく定義された優先度の概念が存在する。このように、所与の送信の組について、送信機は、より高い優先度の受信機に基づいて、例えば現在のデータスロットにおいてデータを送信しないために、譲歩することを決定しうる。受信機は、より高い優先度の送信機に基づいて譲歩することを決定しうる。
【００６５】
図９は、第１の無線端末を動作する例示的な方法のフローチャート９００である。例示的な方法の動作はステップ９０２で開始し、ステップ９０４に進む。ステップ９０４において、第１の無線端末は、第１の無線端末が第２の無線端末に送信されるべきデータを有する場合に、第１のトラフィック送信スロットにおいて送信されるべきデータに対して使用されるべき第１のサービス品質レベルを決定する。動作はステップ９０４からステップ９０６に進む。
【００６６】
ステップ９０６において、第１の無線端末は、第１のトラフィック送信スロットに対応する第１の送信要求ブロックで要求信号を送信し、第１の送信要求ブロックは複数の送信ユニットセットを含み、第１の送信要求ブロックの各送信ユニットセットは異なる接続識別子に対応し、第１の送信要求ブロックは異なる接続識別子のセットに対応する。いくつかの実施形態において、要求信号は、要求パイロット信号を通信するために使用される送信ユニット、および、第１のサービス品質レベルを通信するために使用される１つ以上の追加送信ユニットを使用して通信される。動作はステップ９０６からステップ９０８に進む。
【００６７】
ステップ９０８において、第１の無線端末は、送信要求応答のための第１のトラフィック送信スロットで第１のトラフィック送信セグメントに対応する第１の送信要求応答ブロックをモニタし、第１の送信要求応答ブロックは複数の送信ユニットセットを含み、第１の送信要求応答ブロックの各送信ユニットセットは異なる接続識別子のセットの異なる接続識別子のうちの１つに対応する。動作はステップ９０８からステップ９１０に進む。
【００６８】
ステップ９１０において、第１の無線端末は、第１のトラフィック送信スロットで送信するか否かを決定する。ステップ９１０はサブステップ９１２を含む。いくつかの実施形態において、ステップ９１０は、サブステップ９１４および９１６のうちの１つ以上を含む。サブステップ９１２において、第１の無線端末は、モニタすることで検出された要求応答に含まれるサービス品質レベル情報に基づいて、第１のトラフィック送信スロットで送信するか否かについての決定を行う。サブステップ９１４において、第１の無線端末は、受信要求応答の電力と電力レベル閾値との比較に基づいて決定を行う。いくつかの実施形態において、電力レベル閾値は、受信信号に基づいて、１つの送信時間スロットから次の送信時間スロットへと動的に決定される。サブステップ９１６において、第１の無線端末は、第１の送信要求応答ブロック内の受信要求応答の相対位置に基づいて決定を行う。
【００６９】
１つの例において、第１の無線端末は、それが、それ自体の接続に対応するサービス品質レベルよりも高いサービス品質レベルを有する、それが関与していない別の接続に対応する要求応答を検出したため、送信しないことを決定しうる。そのような状況において、第１の無線端末は、より高いサービス品質レベルの接続に譲歩することを決定する。
【００７０】
別の例において、第１の無線端末は、電力レベル閾値を超え、かつ、それ自体のサービス品質レベルよりも高いサービス品質レベルを有する別の接続に対応する任意の要求応答を検出しなかったため、送信することを決定しうる。このように、第１の無線端末は、それが最も高いサービス品質レベルを有しているため、譲歩しない。
【００７１】
さらに別の例において、第１の無線端末は、別の接続のレベルと同じサービス品質レベルを有する。そのような状況において、第１の無線端末は、決定を行うために、要求応答ブロック内の要求応答の相対位置情報を使用する。例えば、送信要求応答ブロックにおける要求応答の位置は優先度情報と関連付けられ、その優先度情報は、同一のトラフィックセグメントを使用しようと競合する同一のサービス品質レベルの２つの要求に対応するサービス品質レベル情報に基づくタイの場合に、タイブレーカ基準として使用されうる。
【００７２】
動作はステップ９１０からステップ９１８に進む。ステップ９１８において、第１の無線端末は、サービス品質レベルインジケータを含む送信要求を第３のデバイスから受信する。次に、ステップ９２０において、第１の無線端末は、サービス品質レベルインジケータを含む要求応答信号を送信することによって応答する。ステップ９１８および９２０は、第２のトラフィック送信スロットに対応しうる。
【００７３】
図１０は、例示的な実施形態に従う例示的な第１の無線端末１０００の図である。例示的な第１の無線端末１０００、例えばモバイルノードのような無線端末、は、ピア・ツー・ピアをサポートしており、かつ、図９のフローチャート９００に従う方法を実施している。
【００７４】
第１の無線端末１０００は、様々なエレメント（１００２、１００４）がデータおよび情報を交換しうる、バス１００６を介して共に結合されたプロセッサ１００２およびメモリ１００４を含む。第１の無線端末１０００は、示されるように、プロセッサ１００２に結合されうる入力モジュール１００８および出力モジュール１０１０をさらに含む。しかしながら、いくつかの実施形態において、入力モジュール１００８および出力モジュール１０１０はプロセッサ１００２の内部に配置される。入力モジュール１００８は入力信号を受信することができる。入力モジュール１００８は、入力を受信するための無線受信機および／または有線あるいは光の入力インターフェースを含むことができ、いくつかの実施形態において含む。出力モジュール１０１０は、出力を送信するための無線送信機および／または有線あるいは光の出力インターフェースを含むことができ、いくつかの実施形態において含む。
【００７５】
プロセッサ１００２は、第１の無線端末が第２の無線端末に送信されるべきデータを有する場合に、第１のトラフィック送信スロットにおいて送信されるべきデータに対して使用されるべき第１のサービス品質レベルを決定し、第１のトラフィック送信スロットに対応する第１の送信要求ブロックにおいて要求信号を送信するように構成され、第１の送信要求ブロックは複数の送信ユニットセットを含み、第１の送信要求ブロック内の各送信ユニットセットは異なる接続識別子に対応し、第１の送信要求ブロックは異なる接続識別子のセットに対応する。いくつかの実施形態において、要求信号は、要求パイロット信号を通信するために使用される送信ユニット、および、第１のサービス品質レベルを通信するために使用される１つ以上の追加の送信ユニットを使用して通信される。
【００７６】
様々な実施形態において、プロセッサ１００２は、送信要求応答のための第１のトラフィック送信スロットにおいて第１のトラフィック送信セグメントに対応する第１の送信要求応答ブロックをモニタするようにさらに構成され、第１の送信要求応答ブロックは複数の送信ユニットセットを含み、第１の送信要求応答ブロック内の各送信ユニットセットは異なる接続識別子のセット内の異なる接続識別子のうちの１つに対応する。
【００７７】
プロセッサ１００２は、いくつかの実施形態において、モニタにすることで検出された要求応答に含まれるサービス品質レベル情報に基づいて、第１のトラフィック送信スロットにおいて送信するか否かを決定するようにさらに構成される。いくつかのそのような実施形態において、プロセッサ１００２は、受信要求応答の電力と電力レベル閾値との比較に基づいて、第１のトラフィック送信スロットで送信するか否かを決定するようにさらに構成される。様々な実施形態において、電力レベル閾値は、受信信号に基づいて１つの送信時間スロットから次の送信時間スロットへと動的に決定される。プロセッサ１００２は、いくつかの実施形態において、第１の送信要求応答ブロック内の受信要求応答の相対位置に基づいて第１の送信スロットで送信するか否かを決定するように構成される。
【００７８】
プロセッサ１００２は、いくつかの実施形態において、サービス品質レベルインジケータを含む送信要求を第３のデバイスから受信し、および、サービス品質レベルインジケータを含む要求応答信号を送信することによって応答するように構成される。
【００７９】
図１１は、図１０に示された第１の無線端末１０００において使用されることができ、いくつかの実施形態において使用される、モジュールのアセンブリ１１００である。アセンブリ１１００内のモジュールは、例えば、個別回路として、図１０のプロセッサ１００２内のハードウェアにおいて実施されうる。あるいは、モジュールは、ソフトウェアにおいて実施され、図１０に示された１の無線端末１０００のメモリ１００４に記憶されうる。図１０の実施形態において単一のプロセッサ、例えばコンピュータ、として示されているが、プロセッサ１００２が１つ以上のプロセッサ、例えば複数のコンピュータ、として実施されうることは認識されるべきである。ソフトウェアにおいて実施された場合、モジュールは、プロセッサによって実行されると、例えば、コンピュータのような、プロセッサ１００２に、モジュールに対応する機能を実施させるコードを含む。モジュールのアセンブリ１１００がメモリ１００４に記憶される実施形態において、メモリ１００４は、少なくとも１つのコンピュータ、例えばプロセッサ１００２、に、モジュールが対応する機能を実施させるためのコード、例えば各モジュールに対する個別コード、を備えるコンピュータ可読媒体を備えるコンピュータプログラム製品である。
【００８０】
完全にハードウェアベースのモジュールまたは完全にソフトウェアベースのモジュールが使用されうる。しかしながら、ソフトウェアとハードウェア（例えば、回路が実装される）モジュールのあらゆる組み合わせが機能を実施するために使用されうることは認識されるべきである。認識されるべきであるように、図１１に示されるモジュールは、図９の方法フローチャート９００において示される対応するステップの機能を実行するために、第１の無線端末１０００またはプロセッサ１００２のようなその中のエレメントを制御および／または構成する。
【００８１】
図１１に示されるように、モジュールのアセンブリ１１００は、第１の無線端末が第２の無線端末に送信されるべきデータを有する場合に、第１のトラフィック送信スロットにおいて送信されるべきデータに対して使用されるべき第１のサービス品質レベルを決定するためのモジュール１１０２と、第１のトラフィック送信スロットに対応する第１の送信要求ブロックで要求信号を送信するためのモジュール１１０４とを含み、第１の送信要求ブロックは複数の送信ユニットセットを含み、第１の送信要求ブロック内の各送信ユニットセットは異なる接続識別子に対応し、第１の送信要求ブロックは異なる接続識別子のセットに対応する。いくつかの実施形態において、要求信号は、要求パイロット信号を通信するために使用される送信ユニット、および、第１のサービス品質レベルを通信するために使用される１つ以上の追加送信ユニットを使用して通信される。
【００８２】
モジュールのアセンブリ１１００は、送信要求応答のための第１のトラフィック送信スロットにおける第１のトラフィック送信セグメントに対応する第１の送信要求応答ブロックをモニタするためのモジュール１１０６と、なお、第１の送信要求応答ブロックは複数の送信ユニットセットを含み、第１の送信要求応答ブロックの各送信ユニットセットは異なる接続識別子のセットの異なる接続識別子のうちの１つに対応する、第１のトラフィック送信スロットにおいて送信するか否かを決定するためのモジュール１１０８とをさらに含む。モジュール１１０８は、モニタすることで検出された要求応答に含まれるサービス品質レベル情報に基づいて第１のトラフィック送信スロットにおいて送信するか否かの決定を行うためのモジュール１１１０を含む。いくつかの実施形態において、モジュール１１０８は、受信要求応答の電力と電力レベル閾値との比較に基づいて決定を行うためのモジュール１１１２、および、第１の送信要求応答ブロックにおける受信要求応答の相対位置に基づいて決定を行うためのモジュール１１１４のうち１つ以上を含む。いくつかの実施形態において、電力レベル閾値は、受信信号に基づいて１つの送信時間スロットから次の送信時間スロットへと動的に決定される。
【００８３】
モジュールのアセンブリ１１００は、サービス品質レベルインジケータを含む送信要求を第３のデバイスから受信するためのモジュール１１１６、および、サービス品質レベルインジケータを含む要求応答信号を送信することによって応答するためのモジュール１１１８をさらに含む。
【００８４】
様々な実施形態の技術は、ソフトウェア、ハードウェア、および／またはソフトウェアとハードウェアの組み合わせを使用して実施されうる。様々な実施形態は、装置、例えば、モバイルアクセス端末のようなモバイルノード、１つ以上のアタッチメントポイントを含む基地局、および／または通信システムを対象としている。様々な実施形態は、また、方法、例えばモバイルノード、基地局、および／または通信システム、例えばホスト、を制御および／または動作する方法、を対象としている。様々な実施形態は、また、方法の１つ以上のステップを実施するように機械を制御するための機械可読命令を含む機械、例えばコンピュータ可読媒体、例えばＲＯＭ、ＲＡＭ、ＣＤ、ハードディスク等、を対象としている。
【００８５】
開示されたプロセスにおけるステップの特定の順序または階層は例示的なアプローチの一例であることが理解される。設計の選好（design preference）に基づいて、プロセスにおけるステップの特定の順序または階層が、本開示の範囲を逸脱することなく再配列されうることが理解される。添付の方法請求項は様々なステップのエレメントを簡単な順序で提示し、かつ、提示される特定の順序または階層に限定されることを意味しない。
【００８６】
様々な実施形態において、本明細書に記述されたノードは、１つ以上の方法、例えば、サービス品質レベルを決定すること、パイロット部およびサービス品質部を含む要求信号を生成すること、送信要求ブロックで要求信号を送信すること、送信機譲歩決定を行うことなど、に対応するステップを実行するために１つ以上のモジュールを使用して実施される。このように、いくつかの実施形態において、様々な特徴がモジュールを使用して実施される。そのようなモジュールは、ソフトウェア、ハードウェア、または、ソフトウェアとハードウェアの組み合わせを使用して実施されうる。上に記述された方法または方法のステップの多くは、上に記述された方法の全部または一部を、例えば、１つ以上のノードにおいて実施するように、機械、例えば、追加ハードウェアを備える汎用コンピュータまたは追加ハードウェアを備えない汎用コンピュータ、を制御するため、メモリデバイスのような機械可読媒体、例えばＲＡＭ、フロッピー（登録商標）ディスクなど、に含まれるソフトウェアのような機械実行可能命令を使用して実施されうる。結果として、とりわけ、様々な実施形態が、機械、例えば、プロセッサおよび関連ハードウェア、に、上に記述された方法の１つ以上のステップを実行させる機械実行可能命令を含む機械可読媒体を対象としている。いくつかの実施形態は、本発明の１つ以上の方法の１つのステップ、複数のステップ、または全ステップを実施するように構成されたプロセッサを含むデバイス、例えば通信デバイスに向けられる。
【００８７】
いくつかの実施形態は、単一のコンピュータまたは複数のコンピュータに、様々な機能、ステップ、行動、および／または動作、例えば、上に記述された１つ以上のステップ、を実施させるコードを備えるコンピュータ可読媒体を備えるコンピュータプログラム製品を対象としている。実施形態に依存して、コンピュータプログラム製品は、実行されるべき各ステップに対して異なるコードを含むことができ、時々含んでいる。このように、コンピュータプログラム製品は、方法、例えば通信デバイスまたはノードを制御する方法、の個別のステップの各々に対してコードを含むことができ、時々含んでいる。コードは、機械の形態、例えばコンピュータ、ＲＡＭ（ランダムアクセスメモリ）、ＲＯＭ(読み取り専用メモリ)、または、別のタイプの記憶デバイスのようなコンピュータ関連媒体に記憶された実行可能命令、でありうる。コンピュータプログラム製品を対象としていることに加えて、いくつかの実施形態は、上に記述された１つ以上の方法の様々な機能、ステップ、行動、および／または動作の１つ以上を実施するように構成されたプロセッサを対象としている。結果として、いくつかの実施形態は、本明細書に記述された方法のいくつかのステップまたは全ステップを実施するように構成されたプロセッサ、例えばＣＰＵ、を対象としている。プロセッサは、例えば、本出願において記述された通信デバイスまたは別のデバイスにおいて使用されうる。
【００８８】
いくつかの実施形態において、１つ以上のデバイス、例えば無線端末のような通信デバイス、の単一のプロセッサまたは複数のプロセッサ、例えばＣＰＵ、は、通信デバイスによって実行されるとして記述された方法のステップを実行するように構成される。結果として、全てではないがいくつかの実施形態は、プロセッサが含まれるデバイスによって実行される、記述された様々な方法の各ステップに対応するモジュールを含むプロセッサを有するデバイス、例えば通信デバイス、を対象としている。全てではないがいくつかの実施形態において、デバイス、例えば通信デバイス、は、プロセッサが含まれるデバイスによって実行される、記述された様々な方法の各ステップに対応するモジュールを含む。モジュールはソフトウェアおよび／またはハードウェアを使用して実施されうる。
【００８９】
ＯＦＤＭシステムに関して記述されているが、様々な実施形態の方法および装置のうちの少なくともいくつかは、多くの非ＯＦＤＭおよび／または非セルラシステムを含む広範囲の通信システムに適用可能である。方法および装置の少なくともいくつかは、ハイブリッドシステム、例えばＯＦＤＭおよびＣＤＭＡシグナリング技術を含むシステム、に適応可能である。
【００９０】
上に記述された様々な実施形態の方法および装置の多数のさらなる変形は、上の記述の観点から当業者には明白であろう。そのような変形は本範囲内であると考えられるべきである。方法および装置は、ＣＤＭＡ、直交周波数分割多重（ＯＦＤＭ）、および／または、アクセスノードとモバイルノードとの間で無線通信リンクを提供するために使用されうる様々な別のタイプの通信技術と使用されることが可能であり、いくつかの実施形態において使用されている。いくつかの実施形態において、アクセスノードはＯＦＤＭおよび／またはＣＤＭＡを使用してモバイルノードとの通信リンクを確立する基地局として実施されうる。いくつかの実施形態において、モバイルノードは、ノートブックコンピュータ、携帯情報端末（ＰＤＡ）、または、方法を実施するための受信機／送信機回路および論理および／またはルーチンを含む別のポータブルデバイスとして実施されうる。
【図１】
0005373102.tif 000002
【図２】
0005373102.tif 000003
【図２Ａ】
0005373102.tif 000004
【図２Ｂ】
0005373102.tif 000005
【図３】
0005373102.tif 000006
【図４】
0005373102.tif 000007
【図５】
0005373102.tif 000008
【図６】
0005373102.tif 000009
【図７】
0005373102.tif 000010
【図８】
0005373102.tif 000011
【図９】
0005373102.tif 000012
【図１０】
0005373102.tif 000013
【図１１】
0005373102.tif 000014